(57)【要約】駐車場管理システムにおいて、駐車場の空き駐車スペースを効率よく管理する。車両２の駐車情報（例えば、車両２が駐車する駐車スペース６０５）を、当該車両２の車載装置２００に提供する駐車場管理システム１であって、現実の駐車エリア６０１の画像情報に、仮想の駐車マップ６０８を合成した駐車マップ情報１１２を複数作成する駐車マップ作成ユニット１１０（駐車マップ作成部）と、予め設定されたイベント（切替条件）に基づいて複数の駐車マップ情報１１２を切り替える駐車場管理ユニット１３０（駐車場管理部）と、を有する構成とした。
2019138763.tif 000002
【特許請求の範囲】
【請求項１】
車両の駐車情報を、前記車両の車載装置に提供する駐車場管理システムであって、
現実の駐車エリアの画像情報に、仮想の駐車マップを合成した駐車マップ情報を複数作成する駐車マップ作成部と、
予め設定された切替条件に基づいて前記複数の駐車マップ情報を切り替える駐車場管理部と、を有する駐車場管理システム。
【請求項２】
前記駐車場管理部は、
日時情報、天候情報または前記駐車エリア周辺のイベントの少なくとも何れか一つを前記切替条件として取得する切替条件取得部と、
前記切替条件取得部が取得した前記切替条件に基づいて、前記複数の駐車マップ情報を切り替える駐車マップ切替部と、を有する請求項１に記載の駐車場管理システム。
【請求項３】
前記仮想の駐車マップは、少なくとも前記駐車エリアにおける仮想の駐車区画レイアウト情報と、前記駐車エリア内での前記車両の通行方向情報と、が関係づけられている請求項１に記載の駐車場管理システム。
【請求項４】
前記駐車場管理部は、
前記駐車マップ情報を、前記車両の前記車載装置に配信する駐車マップ配信部を有する請求項３に記載の駐車場管理システム。
【請求項５】
前記駐車エリア内の前記車両の駐車の有無を検知する車両検知部を有し、
前記駐車場管理部は、
前記車両検知部による前記車両の検知結果に基づいて、前記駐車マップ情報を更新する請求項４に記載の駐車場管理システム。
【請求項６】
前記駐車マップ作成部は、
前記駐車エリアに設けられた現実の駐車区画線が表示されないように、前記駐車エリアに前記駐車マップを合成する請求項５に記載の駐車場管理システム。
【請求項７】
前記車載装置は、前記駐車マップ配信部から配信された前記駐車マップ情報を記憶する駐車マップ記憶部を有する請求項６に記載の駐車場管理システム。
【請求項８】
前記車載装置は、前記駐車マップ情報を表示する表示部を有する請求項７に記載の駐車場管理システム。
【請求項９】
前記表示部は、前記駐車エリアに設けられた現実の駐車区画線が表示されないように、前記駐車マップを表示する請求項８に記載の駐車場管理システム。
【請求項１０】
前記車載装置は、前記車両の運動を制御する運動制御部を有し、
前記運動制御部は、前記駐車マップ切替部により前記駐車マップ情報が切り替えられた場合、切替前の駐車マップ情報に基づく第１駐車スペースに駐車している前記車両を、切替後の駐車マップ情報に基づく第２駐車スペースに移動させる請求項９に記載の駐車場管理システム。
【請求項１１】
前記駐車マップ切替部は、前記車両に設けられている車載センサに関する情報を取得すると共に、前記取得した車載センサに関する情報に基づいて前記駐車マップ情報を切り替える請求項１０に記載の駐車場管理システム。
【請求項１２】
車両の駐車情報を、前記車両の車載装置に提供する駐車場管理方法であって、
現実の駐車エリアの画像情報に、仮想の駐車マップを合成した駐車マップ情報を複数作成する駐車マップ作成ステップと、
予め設定された切替条件に基づいて前記複数の駐車マップ情報を切り替える駐車マップ情報切替ステップと、を有する駐車場管理方法。
【請求項１３】
前記駐車マップ情報切替ステップは、
日時情報、天候情報または前記駐車エリア周辺のイベントの少なくとも何れか一つを前記切替条件として取得すると共に、取得した前記切替条件に基づいて、前記複数の駐車マップ情報を切り替える請求項１２に記載の駐車場管理方法。
【請求項１４】
前記駐車マップ作成ステップは、
前記駐車エリアに設けられた現実の駐車区画線が表示されないように、前記駐車エリアに前記駐車マップを合成する請求項１３に記載の駐車場管理方法。
【発明の詳細な説明】
【技術分野】
【０００１】
本発明は、駐車場管理システムおよび駐車場管理方法に関する。
【背景技術】
【０００２】
近年、駐車場における車両の駐車支援装置の開発が進められている。【０００３】
特許文献１には、車両の駐車区画を示す白線（境界線）が駐車場の路面に描かれていない場合、車両の駐車区画を示す境界線を仮想的に表示する駐車支援装置が開示されている。【０００４】
特許文献２には、複数の駐車区画の中から空車区画を駐車前に予め取得し、当該空車区画内での車両ドアの接触可能性を示す危険度を運転者に報知することで、運転者が駐車対象区画を空車区画の中から選択することを支援する駐車支援システムが開示されている。【０００５】
特許文献３には、車両からの駐車要求情報にしたがい、車両の現在位置から目標とする駐車スペースまでの誘導を支援する駐車支援装置が開示されている。
【先行技術文献】
【特許文献】
【０００６】
【特許文献１】特開２０１３−１１６６９６号公報
【特許文献２】特開２０１６−７６０２９号公報
【特許文献３】特開２０１７−６７４６６号公報
【発明の概要】
【発明が解決しようとする課題】
【０００７】
しかしながら、特許文献１〜３のものは、車両を予め決められた空き駐車スペースに適切に誘導するだけで、駐車場の空き駐車スペースを効率よく管理するものではない。【０００８】
したがって、本発明は、上記の課題に着目してなされたもので、駐車場の空き駐車スペースを効率よく管理することを目的とする。
【課題を解決するための手段】
【０００９】
上記課題を解決するため、車両の駐車情報を、当該車両の車載装置に提供する駐車場管理システムであって、現実の駐車エリアの画像情報に、仮想の駐車マップを合成した駐車マップ情報を複数作成する駐車マップ作成部と、予め設定された切替条件に基づいて複数の駐車マップ情報を切り替える駐車場管理部と、を有する構成とした。
【発明の効果】
【００１０】
本発明によれば、駐車場の空き駐車スペースを効率よく管理することができる。
【図面の簡単な説明】
【００１１】
【図１】実施の形態にかかる駐車場管理システムを説明する機能ブロック図である。
【図２】車両の入庫時における駐車管理装置の処理の流れを説明するフローチャートである。
【図３】車両の入庫時における車載装置の処理の流れを説明するフローチャートである。
【図４】車両の出庫時における駐車管理装置の処理の流れを説明するフローチャートである。
【図５】車両の出庫時における車載装置の処理の流れを説明するフローチャートである。
【図６】駐車区画レイアウトの一例を説明する模式図である。
【図７】駐車場管理情報のデータ構造の一例を説明する図である。
【図８】イベントごとの駐車マップの切り替えを説明する図であり、日中の駐車マップを示す模式図である。
【図９】イベントごとの駐車マップの切り替えを説明する図であり、夜間の駐車マップを示す模式図である。
【図１０】イベントごとの駐車マップの切り替えを説明する図であり、非対応車用の駐車マップを示す模式図である。
【図１１】イベントごとの駐車マップの切り替えを説明する図であり、対応車用の駐車マップを示す模式図である。
【図１２】第２の実施の形態にかかる駐車場管理システムを説明する機能ブロック図である。
【図１３】第２の実施の形態にかかる車載装置の車両の入庫時における処理の流れを説明するフローチャートである。
【図１４】第３の実施の形態にかかる駐車場管理システムを説明する機能ブロック図である。
【図１５】第４の実施の形態にかかる車載装置の車両の入庫時における処理の流れを説明するフローチャートである。
【図１６】第４の実施の形態にかかる駐車管理装置の車両の入庫時における処理の流れを説明するフローチャートである。
【発明を実施するための形態】
【００１２】
［駐車管理システム］
初めに、本発明の実施の形態にかかる駐車場管理システム１を説明する。
【００１３】
図１は、実施の形態にかかる駐車場管理システム１を説明する機能ブロック図である。
【００１４】
図１に示すように、駐車場管理システム１は、外部サーバ（図示せず）などに設けられた駐車管理装置１００と、車両２（図６参照）に設けられた車載装置２００とを有する。車載装置２００は、例えば、ヘッドマウントディスプレイや携帯端末などの車両２から独立している装置でも良いし、カーナビゲーションのモニタのような車両２と一体になっている装置でもよい。
【００１５】
［駐車管理装置］
駐車管理装置１００は、駐車場６００の駐車エリア６０１（図６参照）の全体的な管理を行う。駐車管理装置１００は、図示しないＣＰＵ（Ｃｅｎｔｒａｌ  Ｐｒｏｃｅｓｓｉｎｇ  Ｕｎｉｔ）と、図示しないＲＯＭ（Ｒｅａｄ  Ｏｎｌｙ  Ｍｅｍｏｒｙ）などの記憶装置とを有し、ＣＰＵ（図示せず）が、ＲＯＭ（図示せず）に記憶された制御プログラムを読み出して実行することで、以下に説明する機能を実現する。なお、駐車管理装置１００は、以下で説明する機能を有する装置により構成してもよい。
【００１６】
駐車管理装置１００は、駐車マップ情報１１２を作成する駐車マップ作成ユニット１１０と、駐車エリア６０１の現実空間と仮想空間の位置関係の同定や、駐車エリア６０１にある車両２を認識する駐車エリア認識ユニット１２０と、複数の駐車マップ情報１１２を管理し車載装置２００に配信する駐車場管理ユニット１３０と、を有する。
【００１７】
［駐車マップ作成ユニット］
駐車マップ作成ユニット１１０は、駐車マップ作成部１１１と、駐車マップ切替部１１３と、を有している。
【００１８】
駐車マップ作成部１１１は、後述する駐車エリア認識ユニット１２０で取得された駐車エリア６０１（図６参照）の現実の画像情報に基づいて、仮想的な駐車区画レイアウト６０７（図６参照）を作成すると共に、この作成した駐車区画レイアウト６０７に対して、車両２の仮想的な通行方向６０６（図６参照）を設定する。ここで、駐車エリア６０１は、駐車場６００の中で、車両２を実際に駐車可能なエリアを意味する。
【００１９】
駐車マップ作成部１１１は、センサ部１２３の監視カメラ６０９で取得した駐車エリア６０１の現実の画像情報に対して、仮想的な駐車区画レイアウト６０７と通行方向６０６とを合成した駐車マップ情報１１２を作成する。駐車マップ作成部１１１は、後述する駐車マップ切替部１１３で設定及び登録されたイベント情報（例えば、スポーツイベントや自動車展示イベントの情報など）、日時情報（例えば、朝、昼、夜の情報などの時間情報や春、夏、秋、冬などの季節情報）、天候情報（晴れ、曇り、雨など）などの切替条件（切替タイミング）に応じて複数の駐車マップ情報１１２を作成する。
【００２０】
駐車マップ切替部１１３は、所定の切替条件（切替タイミング）に基づいて、駐車マップ作成部１１１が作成した駐車マップ情報１１２を設定及び登録する。ここで、切替条件（切替タイミング）は、例えば、駐車エリア６０１の周辺で行われるイベント情報（例えば、スポーツイベントや自動車展示イベント又はファミリー向けイベントや大規模なイベントなど）や、日時情報（例えば、朝、昼、夕、夜などの時間情報や春、夏、秋、冬などの季節情報）、天候情報（晴れ、曇り、雨など）に基づいて設定及び登録される。これらのイベント情報、日時情報、天候情報は、駐車マップ切替部１１３により取得される。
【００２１】
なお、駐車マップ作成部１１１は、車載装置２００との信号の送受信の有無などに基づいて、駐車場管理システム１の対応車両と、非対応車両とを判別する。そして、駐車マップ作成部１１１は、車両２が非対応車両である場合、駐車マップ情報１１２に合成する駐車区画レイアウト６０７を作成及び編集する際に、実際の駐車エリア６０１の路面に描かれた白線（境界線）を検出する。
【００２２】
駐車マップ作成部１１１は、検出した白線（境界線）を駐車区画レイアウト６０７の境界線を決めるための補助情報として用い、対応車両の駐車エリアと非対応車両の駐車エリアとを区分けして設定する。
【００２３】
駐車エリア認識ユニット１２０は、駐車エリア検知部１２１と、仮想マップ同定部１２２と、センサ部１２３と、位置情報付与部１２４と、駐車エリア車両検知部１２５と、駐車スペース車両検知部１２６と、を有する。
【００２４】
センサ部１２３は、駐車場６００に設けられた監視カメラ６０９（図６参照）などを含んで構成されており、この監視カメラ６０９により駐車場６００内の現実の画像情報を取得する。
【００２５】
駐車エリア検知部１２１は、センサ部１２３の監視カメラ６０９が取得した駐車場６００の現実の画像情報から車両２の駐車可能な範囲を示す駐車エリア６０１を抽出する。
【００２６】
位置情報付与部１２４は、駐車エリア検知部１２１が抽出した駐車エリア６０１に対して、当該駐車エリア６０１の位置情報を付与する。位置情報付与部１２４は、駐車エリア６０１の２次元の位置情報（Ｘ座標、Ｙ座標の平面座標）を付与してもよく、３次元の位置情報（Ｘ座標、Ｙ座標、Ｚ座標の立体座標）を付与してもよい。
【００２７】
仮想マップ同定部１２２は、位置情報付与部１２４が付与した駐車エリア６０１の位置情報に基づいて、この駐車エリア６０１の現実の画像情報と、駐車マップ作成ユニット１１０で作成された駐車マップ情報１１２とを同定する。
【００２８】
駐車エリア車両検知部１２５は、駐車エリア検知部１２１で抽出した駐車エリア６０１内に進入した車両２を監視カメラ６０９などで検知する。
【００２９】
駐車スペース車両検知部１２６は、駐車エリア検知部１２１で抽出した駐車エリア６０１にある車両２の位置を抽出し、その車両２の位置情報と、駐車マップ作成ユニットで作成された駐車マップ情報１１２上の駐車スペース６０５（図６参照）の位置情報とに基づいて、当該駐車スペース６０５内に車両２が存在するか否かを検知する。
【００３０】
駐車場管理ユニット１３０は、駐車マップ情報登録部１３１と、駐車マップデータベース１３２と、駐車場管理部１３３と、駐車マップ情報配信部１３６と、駐車スペース指示部１３７と、を有する。
【００３１】
駐車マップ情報登録部１３１は、駐車マップ作成ユニット１１０で作成された複数の駐車マップ情報１１２を受信し、この複数の駐車マップ情報１１２を駐車マップデータベース１３２に送信する。
【００３２】
駐車マップデータベース１３２は、駐車マップ情報登録部１３１の登録指示に基づいて、複数の駐車マップ情報１１２を記憶する。
【００３３】
駐車場管理部１３３は、駐車マップデータベース１３２に記憶された複数の駐車マップ情報１１２の中から、駐車マップ切替部１１３の切り替え指示に応じて、現在使用する駐車マップ情報１１２を決定する。駐車場管理部１３３は、決定した駐車マップ情報１１２に駐車場管理情報１３５を合成して共有駐車マップ情報１３４を作成する。この共有駐車マップ情報１３４は、駐車マップ情報１１２及び駐車場管理情報１３５のパターンに応じて複数作成される。
【００３４】
また、駐車場管理部１３３は、駐車エリア認識ユニット１２０により、駐車スペース６０５の利用状態（「空き」→「利用予定」、「利用予定」→「利用」、「利用」→「空き」など）が更新された場合、車両２の入庫又は出庫を把握し、駐車場管理情報１３５と共有駐車マップ情報１３４とを更新する。
【００３５】
そして、駐車場管理部１３３は、駐車マップ作成ユニット１１０の駐車マップ切替部１１３で設定及び登録されたイベント情報、日時情報、天候情報などの切替条件（切替タイミング）に基づいて、共有駐車マップ情報１３４を切り替える。
【００３６】
駐車マップ情報配信部１３６は、駐車場管理部１３３により切り替えられた共有駐車マップ情報１３４を、車載装置２００から受信した要求信号に応じて配信する。
【００３７】
駐車スペース指示部１３７は、入庫時における車載装置２００への空き駐車スペース６０５の指示、出庫時における車載装置２００からの出庫通知に基づいて空き駐車スペース６０５の通知を行う。
【００３８】
［車載装置］
図１に示すように、車載装置２００は、センサ部２０１と、駐車マップ検知部２０２と、駐車マップ情報要求部２０３と、駐車スペース要求部２０４と、表示部２０５とを有している。
【００３９】
センサ部２０１は、車両２に設けられえた車載カメラ（図示せず）などを含んで構成されており、車両２の周囲の画像情報を取得する。
【００４０】
駐車マップ検知部２０２は、センサ部２０１で取得した車両２の周囲の画像情報に基づいて、仮想的な駐車マップである共有駐車マップ情報１３４が駐車エリア６０１内に設定されていることを検知する。例えば、駐車マップ検知部２０２は、センサ部２０１で取得した画像情報に基づいて表示板６０３（図６参照）などを認識することで、共有駐車マップ情報１３４が駐車エリア６０１内に設定されていることを検知する。
【００４１】
駐車マップ情報要求部２０３は、駐車場管理ユニット１３０の駐車マップ情報配信部１３６に対して、共有駐車マップ情報１３４の配信要求を送信して、共有駐車場マップ情報１３４を取得する。
【００４２】
駐車スペース要求部２０４は、入庫時又は出庫時において、駐車場管理ユニット１３０の駐車スペース指示部１３７に対して駐車スペース６０５の通知要求を行い、駐車スペース６０５を取得する。
【００４３】
ここで、駐車マップ情報要求部２０３は、取得した共有駐車マップ情報１３４を表示部２０５に表示する。また、駐車スペース要求部２０４は、取得した駐車スペース６０５を表示部２０５に表示する。
【００４４】
表示部２０５は、駐車マップ情報要求部２０３が取得した共有駐車マップ１３４と、駐車スペース要求部２０４が取得した駐車スペース６０５を表示する。
【００４５】
なお、表示部２０５は、車載カメラ（図示せず）などを含むセンサ部２０１によって取得した現実の駐車エリア６０１の画像情報に、共有駐車マップ情報１３４と駐車スペース６０５を合成してもよい。表示部２０５における共有駐車マップ情報１３４の表示方法は、例えば、携帯端末やカーナビゲーション、車両２の周囲画像の表示画面などを通して表示する。このように構成すると、車載カメラから見た現実の画像情報に仮想の共有駐車マップ情報１３４と駐車スペース６０５とを合成するので、運転者から見た実際の画像に近づけることができ、車両２の駐車をより違和感なく行うことができる。
【００４６】
［入庫時における駐車管理装置の処理］
次に、車両２の入庫時における駐車管理装置１００の処理の流れを説明する。実施の形態では、車両２が、駐車場６００の駐車エリア６０１に進入した場合の駐車管理装置１００の処理の流れを例示して説明する。
【００４７】
図２は、車両２の入庫時における駐車管理装置１００の処理の流れを説明するフローチャートである。
【００４８】
初めに、ステップＳ１０１において、駐車エリア車両検知部１２５は、センサ部１２３の監視カメラ６０９で取得した駐車エリア６０１の画像情報に基づいて、車両２の駐車エリア６０１への進入の有無を監視する。
【００４９】
ステップＳ１０２において、駐車エリア車両検知部１２５は、車両２の駐車エリア６０１への進入を検知したか否かを判定し、車両２の進入を検知したと判定した場合（ステップＳ１０２：ＹＥＳ）、ステップＳ１０３に進み、車両２の進入を検知していないと判定した場合（ステップＳ１０２：ＮＯ）、ステップＳ１０１に戻って、車両２の進入を検知したと判定するまで、駐車エリア６０１の監視を継続する。
【００５０】
ステップＳ１０３において、駐車マップ情報配信部１３６は、進入を検知した車両２の車載装置２００からの共有駐車マップ情報１３４の配信要求を受信する。
【００５１】
ステップＳ１０４において、駐車マップ情報配信部１３６は、車載装置２００からの共有駐車マップ情報１３４の配信要求の受信に基づいて、駐車マップデータベース１３２から所定の共有駐車マップ情報１３４を取得し、車載装置２００に対して定期配信する。
【００５２】
ステップＳ１０５において、駐車スペース指示部１３７は、駐車エリア６０１に進入した車両２の車載装置２００から空き駐車スペース６０５情報の送信要求を受信する。なお、駐車スペース指示部１３７は、送信要求の受信に際して、車載装置２００から車両２の車種が特定できる型番や車両サイズなどの駐車スペースの決定に必要な車両情報の提供を受ける。
【００５３】
ステップＳ１０６において、駐車場管理部１３３は、複数の駐車場管理情報１３５の中から、進入した車両２の車両サイズに適切な駐車スペース６０５を決定し、当該駐車スペース６０５を「空き６１３」から「利用予約６１０」の状態に更新する。
【００５４】
ステップＳ１０７において、駐車スペース指示部１３７は、進入した車両２の車載装置２００からの通知要求に応じて、ステップＳ１０６で算出した駐車スペース６０５の通知（指示）を行う
【００５５】
ステップＳ１０８において、駐車スペース車両検知部１２６は、駐車スペース指示部１３７が通知した駐車スペース６０５内に車両２が駐車したか否かを検知する。駐車スペース車両検知部１２６による車両２の検知は、センサ部１２３の監視カメラ６０９で取得した画像情報に基づいて行われる。
【００５６】
ステップＳ１０９において、車両２の駐車を確認した場合、駐車場管理部１３３は、駐車場管理情報１３５の当該駐車スペース６０５を「利用予約６１０」から「利用６１２」の状態に更新する。
【００５７】
ステップＳ１１０において、駐車場管理部１３３は、更新した後の駐車場管理情報１３５に基づいて、共有駐車マップ情報１３４を最新情報に更新する。
【００５８】
ステップＳ１１１において、駐車マップ情報配信部１３６は、所定の駐車スペース６０５に駐車した車両２の車載装置２００から共有駐車マップ情報１３４の配信停止要求を受信する。
【００５９】
ステップＳ１１２において、駐車マップ情報配信部１３６は、車両２の車載装置２００への共有駐車マップ情報１３４の定期配信を停止して処理を終了する。
【００６０】
［入庫時における車載装置の処理］
次に、車両２の入庫時における車載装置２００の処理の流れを説明する。実施の形態では、車両２が、駐車場６００の駐車エリア６０１に進入した場合の車載装置２００の処理の流れを例示して説明する。
【００６１】
図３は、車両２の入庫時における車載装置２００の処理の流れを説明するフローチャートである。
【００６２】
ステップＳ２０１において、駐車マップ検知部２０２は、センサ部２０１の車載カメラ（図示せず）で取得した車両２の周囲の画像情報に基づいて、仮想的な共有駐車マップ情報１３４が、当該駐車場６００に設定されているか否かを監視する。実施の形態では、駐車マップ検知部２０２は、車両２の周囲の画像情報に基づいて、仮想的な共有駐車マップ情報１３４が設定されていることを示す表示板６０３（図６参照）の有無を監視する。
【００６３】
ステップＳ２０２において、駐車マップ検知部２０２は、仮想的な共有駐車マップ情報１３４の有無を検知する。実施の形態では、駐車マップ検知部２０２は、共有駐車マップ情報１３４が設定されていることを示す表示板６０３の検知に基づいて、共有駐車マップ情報１３４が設定されていると判定し（ステップＳ２０２：ＹＥＳ）、ステップＳ２０３に進む。
【００６４】
駐車マップ検知部２０２は、共有駐車マップ情報１３４が設定されていないと判定した場合（ステップＳ２０２：ＮＯ）、ステップＳ２０１に戻り、車両２の周囲の画像情報に基づく共有駐車マップ情報１３４の有無の監視を継続する。実施の形態では、駐車マップ検知部２０２は、共有駐車マップ情報１３４が設定されていることを示す表示板６０３の検知ができない場合、共有駐車マップ情報１３４がないと判定する。
【００６５】
ステップＳ２０３において、駐車マップ情報要求部２０３は、駐車マップ検知部２０２により共有駐車マップ情報１３４が設定されていることの判定に基づいて、駐車管理装置１００（駐車場管理ユニット１３０）に対して共有駐車マップ情報１３４の配信要求を送信する。車載装置２００では、駐車マップ情報配信部１３６から定期配信された共有駐車マップ情報１３４を受信する。
【００６６】
ステップＳ２０４において、表示部２０５は、駐車マップ情報要求部２０３が受信した共有駐車マップ情報１３４を表示する。なお、表示部２０５は、駐車マップ情報配信部１３６から定期配信された共有駐車マップ情報１３４を、記憶部（図示せず）に一時的に記憶し、表示が必要なタイミングで記憶部から読み出して表示してもよい。
【００６７】
ステップＳ２０５において、駐車スペース要求部２０４は、車両２が入庫する駐車スペース６０５の通知要求を駐車場管理ユニット１３０の駐車スペース指示部１３７に送信する。
【００６８】
ステップＳ２０６において、表示部２０５は、駐車スペース要求部２０４の通知要求に対して駐車スペース指示部１３７から通知された駐車スペース６０５を、駐車スペース要求部２０４から受信して表示する。
【００６９】
なお、ステップＳ２０６において、表示部２０５は、車両２が入庫する駐車スペース６０５が自車（車両２）から見て死角に入っているなど、直接表示できない場合、その駐車スペース６０５がある方向を矢印で示し、又はその駐車スペース６０５がある場所の上空から地面を指す矢印などで示して表示する。また、表示部２０５は、それらの矢印を併用するなどして、運転者が駐車スペース６０５の位置を認識するのを補助する。
【００７０】
ステップＳ２０７において、駐車マップ情報要求部２０３は、駐車スペース指示部１３７から通知された駐車スペース６０５に、車両２が適切に駐車したことに基づいて、共有駐車マップ情報１３４の配信停止要求を駐車スペース指示部１３７に送信する。
【００７１】
ステップＳ２０８において、表示部２０５は、共有駐車マップ情報１３４の表示を停止して処理を終了する。
【００７２】
［出庫時における駐車管理装置の処理］
次に、車両２の出庫時における駐車管理装置１００の処理の流れを説明する。実施の形態では、車両２が、駐車エリア６０１の所定の駐車スぺース６０５から出庫する場合の駐車管理装置１００の処理の流れを例示して説明する。
【００７３】
図４は、車両２の出庫時における駐車管理装置１００の処理の流れを説明するフローチャートである。
【００７４】
ステップＳ３０１において、駐車マップ情報配信部１３６は、共有駐車マップ情報１３４の配信要求を、出庫する車両２の駐車マップ情報要求部２０３から受信する。
【００７５】
ステップＳ３０２において、駐車マップ情報配信部１３６は、車両２の駐車マップ情報要求部２０３からの配信要求の受信に基づいて、車載装置２００（駐車マップ情報要求部２０３）に対する共有駐車マップ情報１３４の定期配信を開始する。
【００７６】
ステップＳ３０３において、駐車スペース指示部１３７は、出庫する車両２（車載装置２００の駐車スペース要求部２０４）から出庫要求を受信する。
【００７７】
ステップＳ３０４において、駐車場管理部１３３は、駐車場管理情報１３５の駐車スペース６０５を「利用６１２」から「出庫予約６１１」の状態に更新する。
【００７８】
ステップＳ３０５において、駐車スペース車両検知部１２６は、センサ部１２３の監視カメラ６０９の画像情報に基づいて、出庫予定の駐車スペース６０５から車両２が出庫したか否かを監視する。
【００７９】
ステップＳ３０６において、駐車スペース車両検知部１２６は、出庫予定の駐車スペース６０５から車両２が出庫したか否かを判定し、出庫したと判定した場合（ステップＳ３０６：ＹＥＳ）、ステップＳ３０７に進み、出庫していないと判定した場合（ステップＳ３０６：ＮＯ）、ステップＳ３０５に戻り、車両２の駐車スペース６０５からの出庫の監視を継続する。
【００８０】
ステップＳ３０７において、駐車場管理部１３３は、駐車場管理情報１３５の駐車スペース６０５を「出庫予約６１１」から「空き６１３」の状態に更新する。
【００８１】
ステップＳ３０８において、駐車場管理部１３３は、更新した後の駐車場管理情報１３５に基づいて、共有駐車マップ情報１３４を更新する。
【００８２】
ステップＳ３０９において、駐車エリア車両検知部１２５は、センサ部１２３の監視カメラ６０９で取得した駐車エリア６０１の画像情報に基づいて、出庫した車両２が駐車場６００（ゲート６０４）から出たか否かを監視する。
【００８３】
ステップＳ３１０において、駐車エリア車両検知部１２５は、車両２が駐車場６００（ゲート６０４）から出たか否かを判定し、車両２が駐車場６００（ゲート６０４）から出たと判定した場合（ステップＳ３１０：ＹＥＳ）、ステップＳ３１１に進み、車両２がゲート６０４から出ていないと判定した場合（ステップＳ３１１：ＮＯ）、ステップＳ３０９に戻って、駐車エリア６０１の画像情報に基づく車両２の退出を監視する。
【００８４】
ステップＳ３１１において、駐車マップ情報配信部１３６は、ゲート６０４から出た車両２への共有駐車マップ情報１３４の定期配信を停止して処理を終了する。なお、駐車マップ情報配信部１３６は、出庫した車両２がゲート６０４から退出する前に共有駐車マップ情報１３４の定期配信の停止要求を受信した場合、その時点で共有駐車マップ情報１３４の定期配信を停止する。
【００８５】
［出庫時における車載装置の処理］
次に、車両２の出庫時における車載装置２００の処理の流れを説明する。実施の形態では、車両２が、駐車場６００の所定の駐車スぺース６０５から出庫する場合の車載装置２００の処理の流れを例示して説明する。
【００８６】
図５は、車両２の出庫時における車載装置２００の処理の流れを説明するフローチャートである。
【００８７】
ステップＳ４０１において、車両２のメインスイッチのＯＮに応じて車載装置２００の電源をＯＮにする。これにより車載装置２００が起動する。
【００８８】
ステップＳ４０２において、駐車マップ情報要求部２０３は、共有駐車マップ情報１３４の配信要求を、駐車場管理ユニット１３０の駐車マップ情報配信部１３６に対して行う。
【００８９】
ステップＳ４０３において、表示部２０５は、駐車マップ情報配信部１３６から定期配信された共有駐車マップ情報１３４を、駐車マップ情報要求部２０３を介して受信して表示する。
【００９０】
ステップＳ４０４において、駐車スペース要求部２０４は、車両２の駐車スペース６０５からの出庫を、駐車スペース指示部１３７に対して要求する。
【００９１】
ステップＳ４０５において、表示部２０５は、駐車スペース指示部１３７から駐車スペース６０５を受信し、「出庫予約６１１」の状態を表示する。
【００９２】
ステップＳ４０６において、車載装置２００は、車両２が駐車場６００のゲート６０４を通過したか否かを判定し、車両２がゲート６０４を通過したと判定した場合（ステップＳ４０６：ＹＥＳ）、ステップＳ４０７に進み、車両２がゲート６０４を通過していないと判定した場合（ステップＳ４０６：ＮＯ）、ステップＳ４０２に戻って、駐車マップ情報配信部１３６に対する共有駐車マップ情報１３４の配信要求を行う。
【００９３】
ステップＳ４０７において、表示部２０５は、車両２が駐車場６００のゲート６０４を通過したことに基づいて、共有駐車マップ情報１３４の表示を停止する。なお、車両２がゲート６０４通過前に、共有駐車マップ情報１３４の定期配信を停止したい場合は、駐車マップ情報要求部２０３から共有駐車マップ情報１３４の定期配信の停止要求を行い、定期配信を停止する。
【００９４】
［駐車区画レイアウト］
次に、駐車区画レイアウト６０７の一例を説明する。
【００９５】
図６は、駐車区画レイアウト６０７の一例を説明する模式図であり、駐車場６００を上空側から見た平面図である。
【００９６】
図６に示すように、現実の駐車場６００（現実空間とも言う）の画像情報に、仮想的に設定された駐車区画レイアウト６０７と通行方向６０６とを含む駐車マップ６０８（仮想空間とも言う）とが表示されている。
【００９７】
実際の駐車場６００では、仮想空間と現実空間との位置同期を図るためのマーカ６０２と、仮想的な共有駐車マップ情報１３４が存在するか否かを利用者（運転者）に知らせる表示板６０３と、車両２が駐車エリア６０１に出入りする際に通過するゲート６０４と、マーカ６０２を検知しながら仮想空間にある駐車マップ６０８と現実空間にある駐車エリア６０１とを繋げる監視カメラ６０９と、を有している。
【００９８】
仮想空間では、車両２のサイズなどにより駐車区画が規定された駐車区画レイアウト６０７と、駐車区画レイアウト６０７における車両２の駐車位置を示す駐車スペース６０５と、駐車エリア６０１内での車両２の移動方向を矢印などで規定する通行方向６０６と、駐車区画レイアウト６０７に駐車している車両２の有無の情報が含まれる駐車マップ６０８と、を有している。
【００９９】
また、駐車場管理システム１では、駐車スペース６０５の管理（空車、駐車などの）状態を示す情報を、駐車マップ６０８上に表示する。例えば、駐車スペース６０５を色分けし、駐車スペース６０５の「空き６１３（図中の薄いグレー）」、「利用予約６１０（図中の薄いハッチング）」、「出庫予約６１１（図中の濃いハッチング）」、「利用６１２（図中の白抜き）」などの状態を表示し、駐車場の管理者や運転者に通知する。
【０１００】
［駐車場管理情報］
次に、駐車場管理情報１３５のデータ構造の一例を説明する。
【０１０１】
図７は、駐車場管理情報１３５のデータ構造の一例を説明する図である。
【０１０２】
図７に示すように、駐車場管理情報１３５は、駐車マップ切替イベント７０２と、駐車マップ６０８と、を有している。
【０１０３】
駐車マップ切替イベント７０２は、予め決められた所定のイベントごとに複数のルール７０３を有する。このルール７０３の各々は、日時情報、天候情報、イベント（例えば、コンサート、スポーツ大会、自動車展示会、ファミリー向けイベント、大規模イベント）情報などの条件７０４を有する。
【０１０４】
また、ルール７０３では、所定の条件７０４が発生した際に切り替わる駐車マップ６０８を次の駐車マップ７０５として設定している。
【０１０５】
駐車マップ６０８は、駐車スペース６０５の情報を含む。駐車スペース６０５は、区画サイズ７０８と、区画位置７０９と、表示形式７１０と、利用状態７１１とを有している。
【０１０６】
区画サイズ７０８は、駐車スペース６０５の区画の全長、全福、全高などのサイズ情報、又は軽自動車、中型車、ワンボックス車、大型車のような駐車可能な車種情報を格納している。
【０１０７】
区画位置７０９は、基準位置に対する駐車スペース６０５の相対座標位置である。例えば、区画位置７０９は、基準位置であるマーカ６０２に対する駐車スペース６０５の相対座標位置を格納している。
【０１０８】
表示形式７１０は、表示部２０５が、運転者に対して駐車マップ情報を表示する際に、運転者が選択する仮想の表示情報の形式である。例えば、表示形式７１０として、白線（境界線）、駐車スペース、駐車区画、駐車エリアなどが考えられる。表示形式７１０で対象とした形式以外は、監視カメラ６０９などで取得した現実空間の画像情報が表示される。
【０１０９】
運転者などによる表示形式７１０の選択は、駐車マップ作成部１１１で駐車マップ情報１１２を作成した際に、予め１つに限定してもよく、複数の表示形式７１０を用意し、運転者が、車載装置２００の表示部２０５に表示されたスイッチ等による選択機能によって選択できるようにしてもよい。
【０１１０】
利用状態７１１は、駐車スペース６０５の「空き６１３」、「利用６１２」、「利用予約６１０」、「出庫予約６１１」などの現在の駐車スペース６０５の利用状況を格納している。
【０１１１】
経路７１２は、駐車マップ６０８における車両２の経路情報を保持する。実施の形態では、経路情報として、経路位置７１３と、通行方向６０６とを有している。
【０１１２】
経路位置７１３は、基準位置に対する経路の相対座標情報を保持する。例えば、経路位置７１３は、基準位置としてマーカ６０２に対する経路の相対座標情報を保持する。
【０１１３】
通行方向６０６は、一方通行の経路とする場合、その方向を示し、通行停止とする場合は停止位置を示し、通行制限がない場合は、制限なしの情報を保持する。
【０１１４】
なお、駐車管理装置１００では、現実空間である駐車エリア６０１の画像情報の上に仮想空間である駐車マップ６０８（駐車スペース６０５）の情報を付加するが、この際、仮想空間である駐車マップ６０８（駐車スペース６０５）の画像情報の塗りつぶしなどを行い、駐車マップ６０８（駐車スペース６０５）の下に位置する現実空間である駐車エリア６０１の画像情報を表示しないようにしてもよい。
【０１１５】
このようにすると、現実空間である駐車エリア６０１に設けられた白線（境界線）や車止めなどの現実の画像を隠すことができ、現実空間の駐車エリア６０１上に白線で囲われた駐車スペースとは異なる仮想の駐車スペース６０５を設定した場合でも、現実空間での白線を隠すことができる。よって、現実空間上での白線（境界線）と仮想空間上での境界線とが混在することによる運転者の駐車スペースの見難さを解消し、現実空間の白線と仮想空間の境界線とが混在することによる混乱を防ぐことができる。
【０１１６】
なお、仮想空間である駐車スペース６０５の画像情報の塗りつぶしを行わず、駐車スペース６０５の下に位置する現実空間である駐車エリア６０１の画像情報を表示するようにしてもよい。
【０１１７】
このようにすると、駐車エリア６０１において、現実の白線で囲われた駐車スペースに空きがあり、駐車場管理システム１に対応しない車両（非対応車両）が、当該駐車エリア６０１に進入した場合、非対応車両の表示部に現実空間の白線を表示することで、非対応車両を現実空間上の空き駐車スペース（白線）に誘導することができる。
【０１１８】
次に、イベントごとの駐車マップ６０８の切り替えを説明する。
【０１１９】
図８は、イベントごとの駐車マップ６０８の切り替えの一例を説明する図であり、日中の駐車マップ６０８Ａを示す模式図である。
図９は、イベントごとの駐車マップ６０８の切り替えの一例を説明する図であり、夜間の駐車マップ６０８Ｂを示す模式図である。
【０１２０】
図８及び図９に示す駐車マップ６０８Ａ、６０８Ｂは、駐車マップ作成ユニット１１０で作成される。
【０１２１】
図８に示すように、実施の形態では、駐車マップ作成ユニット１１０は、管理対象となる駐車場６００に、過去の車両の駐車実績に基づいて、日中（例えば、午前６時から午後６時の間）には、普通乗用車の駐車需要が多いと判断し、普通乗用車の車両サイズに合った区画サイズの駐車スペース６０５Ａのみを（又は、普通乗用車の車両サイズに合った区画サイズの駐車スペース６０５Ａを多く）配置した駐車マップ６０８Ａを作成する。
【０１２２】
一方、図９に示すように、駐車マップ作成ユニット１１０は、管理対象となる駐車場６００に、過去の車両の駐車実績に基づいて、夜間（例えば、午後６時から午前６時の間）には、トラックなどの大型車の需要が多いと判断し、普通乗用車の駐車スペース６０５Ａの一部を大型車の車両サイズに合った区画サイズの駐車スペース６０５Ｂに変更した駐車マップ６０８Ｂを作成する。
【０１２３】
これらの駐車マップ６０８Ａ、６０８Ｂと、監視カメラ６０９で取得された現実の駐車エリア６０１の画像情報とが合成されて駐車マップ情報１１２が作成される。
【０１２４】
前述した駐車マップ６０８Ａと、駐車マップ６０８Ｂは、駐車マップ切替イベント７０２のルール７０３ごとに設定された条件７０４に基づいて、駐車マップ切替部１１３により切り替えられる。例えば、駐車マップ切替部１１３は、条件７０４に切替条件（切り替えタイミング）を示す日時情報が設定されている場合、現在の時刻が日中（例えば、午前６時から午後６時の間）の場合は、日中用に作成された駐車マップ６０８Ａに切り替え、現在の時刻が夜間（例えば、午後６時から午前６時の間）の場合は、夜間用に作成された駐車マップ６０８Ｂに切り替える。
【０１２５】
これによって、駐車場管理システム１では、例えば、日中では普通乗用車の駐車需要が多く、夜間はトラックなどの大型車の駐車需要が多いと仮定した場合、駐車マップ６０８（実施の形態では、駐車マップ６０８Ａ、６０８Ｂ）を、現在の時刻に応じて切り替えることで、その駐車需要の差を埋めることができる。
【０１２６】
また一般的な駐車場の場合、標準的な車路幅を基準に駐車スペースを決定し固定化されるが、仮想空間の駐車マップ６０８は駐車スペース６０５が保持する情報として、区画サイズ７０８や区画位置７０９によって、駐車スペース６０５単位で車路幅や駐車スペース６０５の場所のレイアウトを決めることができ、特定のイベント毎に変更可能である。よって、駐車場管理システム１では、車両サイズに最適化された駐車スペース６０５を車両２ごとに設定することができ、駐車スペースを標準的なサイズに固定した場合に比べて駐車エリア６０１に駐車できる車両数を増やすことができる。
【０１２７】
図１０は、イベントごとの駐車マップ６０８の切り替えの一例を説明する図であり、駐車場管理システム１に非対応車両のための駐車スペース１２０１を用意した駐車マップ６０８Ｃへ切り替える場合を説明する模式図である。
図１１は、イベントごとの駐車マップ６０８の切り替えの一例を説明する図であり、駐車場管理システム１に非対応車両のための駐車スペース１２０１を用意しない駐車マップ６０８Ｄへ切り替える場合を説明する模式図である。
【０１２８】
ここで、非対応車両とは、、車載装置２００を持たない車両であり、そのため、駐車場管理システム１では、非対応車両の表示部に仮想の駐車スペース６０５の境界線を表示することができない。よって、駐車場管理システム１では、非対応車両を仮想の駐車スペース６０５に誘導することができず、駐車スペース６０５に駐車させることができない。
【０１２９】
そのため、駐車場管理システム１では、非対応車両の駐車エリア６０１への駐車を可能とするため、現実空間の駐車場６００において、現実の白線（境界線）で区画された駐車スペース１２０１がある場合、この駐車スペース１２０１を非対応車両の駐車スペースとして用いる。
【０１３０】
駐車場管理システム１では、例えば、駐車管理装置１００と車載装置との要求信号の送受信がなく、非対応車両が、駐車場６００に進入したと判定した場合、非対応車両向けの駐車スペース１２０１が必要になったとのイベント（切替条件）を発生させる。
【０１３１】
駐車管理装置１００では、非対応車両用の駐車スペース１２０１が設定された駐車マップ６０８Ｃを対応車両に配信する。
【０１３２】
非対応車両用の駐車マップ６０８Ｃでは、駐車場管理システム１の対応車両用の仮想の駐車スペース６０５と、非対応車両用の現実の白線で区画された駐車スペース１２０１とが設定されている。駐車マップ６０８Ｃでは、仮想の駐車スペース６０５と、現実の白線で区画された駐車スペース１２０１とは仮想の区画線などで区別されており、対応車両の運転者は、仮想の区画線で囲まれた仮想の駐車スペース６０５と、現実の白線で囲まれた駐車スペース１２０１とを容易に区別することができる。
【０１３３】
これにより、駐車場管理システム１では、非対応車両と対応車両とが駐車場６００に進入したと判定した場合、対応車両に駐車マップ６０８Ｃの仮想の駐車スペース６０５で囲まれた駐車区画を案内できるので、現実の白線で区画された非対応車両用の駐車スペース１２０１に対応車両を案内することはない。
【０１３４】
よって、駐車場管理システム１では、非対応車両が駐車場６００に進入したと判定した場合、当該非対応車両を、現実の白線で区画された所定の駐車スペース１２０１に確実に案内することができる。
【０１３５】
なお、非対応車両と対応車両とが駐車場６００に進入した場合、駐車場管理システム１では、対応車両に非対応車両用の駐車スペース６０５を表示しないようにしてもよい。このようにすると、対応車両を、非対応車両用の駐車スペース１２０１に誘導してしまうことを確実に防止することができる。
【０１３６】
なお、駐車場管理システム１では、駐車場６００に非対応車両がいないと判定した場合、非対応車両用の駐車スペースを不要とするイベント（切替条件）を発生させ、非対応車両用の駐車マップ６０８Ｃではなく、対応車両用の仮想の駐車マップ６０８Ｄ（図１１参照）を対応車両に配信する。これにより、仮想の駐車マップ６０８Ｄでは、現実の白線で区画された駐車スペース１２０１（図１１の破線参照）が、仮想の境界線で区画された駐車スペース６０５で隠されるので、駐車需要に合った区画サイズの駐車スペース６０５を提供することができ、駐車場６００の駐車エリア６０１を車両サイズに合わせて効率よく利用することができ、駐車場６００への駐車台数を最大限とすることができる。
【０１３７】
以上説明した通り、実施の形態では、
（１）車両２の駐車情報（例えば、車両２が駐車する駐車スペース）を、当該車両２の車載装置２００に提供する駐車場管理システム１であって、現実の駐車エリア６０１の画像情報に、仮想の駐車マップ６０８を合成した駐車マップ情報１１２を複数作成する駐車マップ作成ユニット１１０（駐車マップ作成部）と、予め設定されたイベント（切替条件）に基づいて複数の駐車マップ情報１１２を切り替える駐車場管理ユニット１３０（駐車場管理部）と、を有する構成とした。
【０１３８】
このように構成すると、駐車場管理システム１では、駐車マップ作成ユニット１１０が作成した複数の駐車マップ情報１１２を、駐車場管理ユニット１３０が、所定のイベント（切替条件）に応じて適切に切り替えることができる。よって、駐車場管理システム１では、駐車需要に合った駐車マップ情報１１２を車両２に提供することで、駐車場の空き駐車スペースを効率よく管理することができる。
【０１３９】
（２）また、駐車場管理システム１は、日時情報（例えば、朝、昼、夜の情報などの時間情報や春、夏、秋、冬などの季節情報）、天候情報（晴れ、曇り、雨など）または駐車エリア６０１周辺のイベント（例えば、スポーツイベントや自動車展示イベントの情報など）の少なくとも何れか一つを切替条件として取得する駐車マップ切替部１１３（切替条件取得部）と、駐車マップ切替部１１３が取得した切替条件に基づいて、複数の駐車マップ情報１１２（共有駐車マップ情報１３４）を切り替える駐車場管理部１３３（駐車マップ切替部）と、を有する構成とした。
【０１４０】
このように構成すると、駐車場管理システム１では、日時情報などのイベントに応じて、共有駐車マップ情報１３４を切り替えるので、駐車場周辺の駐車需要（普通乗用車又は大型車など）を予測して駐車スペースを設定することができ、駐車エリア６０１を有効活用することができる。
【０１４１】
（３）また、仮想の駐車マップ情報１１２は、少なくとも駐車エリア６０１における仮想の駐車区画レイアウト６０７（駐車区画レイアウト情報）と、駐車エリア６０１内での車両２の通行方向６０６（通行方向情報）と、が関係づけられている構成とした。
【０１４２】
このように構成すると、駐車場管理システム１では、少なくとも駐車区画レイアウト６０７と通行方向６０６とが関係づけられた駐車マップ情報１１２を複数有するので、イベントに応じた駐車マップ情報１１２を適切に選択することができる。よって、駐車場管理システム１では、イベントに応じた駐車マップ情報１１２を適切に選択することができるので、駐車場の空き駐車スペースを効率よく運用することができる。
【０１４３】
（４）また、駐車場管理システム１は、駐車マップ情報１１２（共有駐車マップ情報１３４）を、車両２の車載装置２００に配信する駐車マップ情報配信部１３６（駐車マップ配信部）を有する構成とした。
【０１４４】
このように構成すると、駐車場管理システム１では、駐車マップ情報配信部１３６によりイベントに応じて選択された駐車マップ情報１１２（共有駐車マップ情報１３４）を、車両２の車載装置２００に送信するので、車両２では、車載装置２００で受信した駐車マップ情報１１２（共有駐車マップ情報１３４）に基づいて、当該車両２に最適な駐車スペース６０５を把握することができる。
【０１４５】
（５）また、駐車エリア６０１内の車両２の駐車の有無を検知する駐車スペース車両検知部１２６（車両検知部）を有し、駐車場管理システム１（駐車場管理部１３３）は、駐車スペース車両検知部１２６による駐車スペース６０５内での車両２の検知結果に基づいて、共有駐車マップ情報１３４を更新する構成とした。
【０１４６】
このように構成すると、駐車場管理部１３３は、共有駐車マップ情報１３４を、車両２の駐車状況に応じて最新の情報に更新するので、駐車場管理システム１では、他の車両に提供する共有駐車マップ情報１３４を最新のものとすることができ、他の車両への駐車スペース案内を適切に行うことができる。
【０１４７】
（６）また、駐車マップ作成ユニット１１０は、駐車エリア６０１に設けられた現実の駐車区画線（白線）が表示されないように、駐車エリア６０１の現実の画像情報に駐車マップ６０８を合成して駐車マップ情報１１２を作成する構成とした。
【０１４８】
このように構成すると、駐車マップ情報１１２では、現実の駐車エリア６０１に設けられた駐車区画を示す白線（境界線）が表示されないので、現実の駐車スペース１２０１を示す白線と、仮想の駐車スペース６０５を示す境界線とが混在することによる仮想の駐車スペース６０５の見難さと混乱を防止することができる。
【０１４９】
（７）また、車載装置２００は、共有駐車マップ情報１３４を表示する表示部２０５を有する構成とした。
【０１５０】
このように構成すると、車両２の運転者は、表示部２０５に表示された共有駐車マップ情報１３４の駐車スペース６０５を視認することができ、車両２を停車する駐車スペース６０５の位置確認を迅速に行うことができる。
【０１５１】
［第２の実施の形態］
次に、第２の実施の形態にかかる駐車場管理システム１Ａを説明する。
【０１５２】
図１２は、第２の実施の形態にかかる駐車場管理システム１Ａの機能を説明するブロック図である。
【０１５３】
第２の実施の形態にかかる駐車場管理システム１Ａは、車載装置２００Ａに共有駐車マップ情報１３４を記憶する駐車マップ記憶部９０１を有し、駐車マップ記憶部９０１に記憶された共有駐車マップ情報１３４の全部または一部を選択的に駐車マップ情報９０２として表示部２０５に表示する点が、前述した実施の形態と異なる。なお、第１の実施の形態と同一の構成については、同一の符号を付し、必要に応じて説明する。
【０１５４】
図１２に示すように、駐車場管理システム１Ａは、駐車場６００の全体管理を行う駐車管理装置１００Ａと、車両２に搭載された車載装置２００Ａとを有しており、駐車管理装置１００Ａは、前述した実施の形態にかかる駐車管理装置１００と同様の構成を成している。
【０１５５】
駐車場管理システム１Ａの車載装置２００Ａは、前述したセンサ部２０１、駐車マップ検知部２０２、駐車マップ情報要求部２０３、駐車スペース要求部２０４、表示部２０５のほか、駐車マップ記憶部９０１を有している。
【０１５６】
車載装置２００Ａでは、駐車マップ情報要求部２０３が、駐車マップ情報配信部１３６から定期配信された共有駐車マップ情報１３４を駐車マップ記憶部９０１に記憶する。
【０１５７】
駐車マップ記憶部９０１に記憶された共有駐車マップ情報１３４は、駐車マップ情報９０２として表示部２０５に表示される。
【０１５８】
ここで、車載装置２００Ａでは、表示部２０５における共有駐車マップ情報１３４の表示を、共有駐車マップ情報１３４の全てを駐車マップ情報９０２として表示することができ、又は共有駐車マップ情報１３４のうち一部の情報のみを選択的に駐車マップ情報９０２として表示することができる。
【０１５９】
例えば、表示部２０５では、共有駐車マップ情報１３４のうち、駐車区画を示す境界線、駐車スペース６０５、駐車区画レイアウト６０７、駐車エリア６０１などの単位で駐車マップ情報９０２として表示する。これにより、駐車場管理システム１では、現実空間上にある白線や車止めなど対応車両に不要な情報を表示しないようにすることができ、現実の白線などが表示されることによる運転者の混乱を防止することができる。
【０１６０】
共有駐車マップ情報１３４のうちの一部の情報の選択は、表示部２０５に表示された選択画面において、運転者によるスイッチ操作により行うことができるようになっている。
【０１６１】
［入庫時における車載装置の処理］
次に、車載装置２００Ａの車両２の入庫時における処理の流れを説明する。
【０１６２】
図１３は、第２の実施の形態にかかる車載装置２００Ａの車両の入庫時における処理の流れを説明するフローチャートである。
【０１６３】
ステップＳ５０１と、ステップＳ５０２は、前述した実施の形態におけるステップＳ２０１とステップＳ２０２と同様の処理である。
【０１６４】
ステップＳ５０３において、駐車マップ情報要求部２０３は、駐車マップ情報配信部１３６に対して共有駐車マップ情報１３４の定期配信を要求すると共に、駐車マップ情報配信部１３６から定期配信された共有駐車マップ情報１３４を定期受診する。駐車マップ情報要求部２０３は、定期受診した共有駐車マップ情報１３４を駐車マップ記憶部９０１に記憶する。
【０１６５】
ステップＳ５０４において、表示部２０５は、駐車マップ記憶部９０１に記憶された共有駐車マップ情報１３４の全部または一部（境界線、駐車スペース６０５、駐車区画レイアウト６０７、駐車エリア６０１など）の駐車マップ情報９０２を選択的に表示する。
【０１６６】
ステップＳ５０５において、駐車スペース要求部２０４は、車両２が入庫する駐車スペース６０５を駐車スペース指示部１３７に要求し、駐車スペース指示部１３７から配信された駐車スペース６０５を受信する。
【０１６７】
ステップＳ５０６において、表示部２０５は、駐車マップ記憶部９０１に記憶された共有駐車マップ情報１３４のうち、車両２が入庫する駐車スペース６０５が含まれた共有駐車マップ情報１３４を表示する。
【０１６８】
そして、車両２が所定の駐車スペース６０５に停車後、駐車マップ情報要求部２０３は、駐車マップ情報配信部１３６に対して共有駐車マップ情報１３４の定期配信の停止要求を行い（ステップＳ５０７）、表示部２０５において、駐車マップ情報９０２の表示を停止（ステップＳ５０８）して処理を終了する。
【０１６９】
以上説明した通り、第２の実施の形態では、
（８）車載装置２００Ａは、駐車マップ情報配信部１３６から配信された共有駐車マップ情報１３４を記憶する駐車マップ記憶部９０１を有する構成とした。
【０１７０】
このように構成すると、車載装置２００Ａ側で、駐車マップ記憶部９０１に記憶された共有駐車マップ情報１３４を任意の状態で表示することができ、車両２の駐車をスムーズに行うことができる。
【０１７１】
（９）また、車載装置２００Ａの表示部２０５は、駐車エリア６０１に設けられた現実の駐車区画線（白線）が表示されないように、駐車マップ情報９０２を表示する構成とした。
【０１７２】
このように構成すると、車載装置２００Ａ側で、共有駐車マップ情報１３４の表示形式を選択することができる。よって、車載装置２００Ａでは、運転者の好みに応じた表示を行うことで、駐車スペース６０５を見やすく表示することができる。
【０１７３】
［第３の実施の形態］
次に、第３の実施の形態にかかる駐車場管理システム１Ｂを説明する。
【０１７４】
図１４は、第３の実施の形態にかかる駐車場管理システム１Ｂの機能を説明するブロック図である。
【０１７５】
第３の実施の形態にかかる駐車場管理システム１Ｂは、車両２を、第１駐車マップ６０８Ａの第１駐車スペース６０５ａ（図８参照）に駐車している状態で、所定のイベントに基づいて第２駐車マップ６０８Ｂに切り替わった場合、車両２を、第２駐車マップ６０８Ｂの車両２の車両サイズに応じた駐車スペース６０５ｂ（図９参照）に自動運転で移動させる点が、前述した実施の形態と異なる。なお、前述した実施の形態と同一の構成については、同一の符号を付し、必要に応じて説明する。
【０１７６】
図１４に示すように、駐車場管理システム１Ｂは、駐車場６００の全体管理を行う駐車管理装置１００Ｂと、車両２に搭載された車載装置２００Ｂとを有する。
【０１７７】
駐車管理装置１００Ｂの駐車場管理ユニット１３０Ｂは、前述した実施の形態の構成のほか、車両移動要求部１００１を有している。
【０１７８】
車両移動要求部１００１は、第１駐車マップ６０８Ａ（図８参照）から第２駐車マップ６０８Ｂ（図９参照）に切り替える際、切り替わった後の第２駐車マップ６０８Ｂの第２駐車スペース６０５ｂを車載装置２００Ｂに通知する。第２駐車マップ６０８Ｂにおける第２駐車マップ６０５ｂは、車両２の車両サイズなどに基づいて最適な駐車スペースが選択される。
【０１７９】
車載装置２００は、前述した実施の形態の構成のほか、車両移動受信部１００２と、制御部１００３とを有している。
【０１８０】
車両移動受信部１００２は、駐車場管理ユニット１３０Ｂの車両移動要求部１００１から通知された第２駐車マップ６０８Ｂに切り替え後の駐車スペース６０５ｂを受信する。また、車両移動受信部１００２は、受信した駐車スペース６０５ｂを制御部１００３に送信する。
【０１８１】
制御部１００３は、現在の駐車スペース６０５ａから切り替え後の駐車スペース６０５ｂへの経路を算出し、この算出した経路に基づいて、車両２を切り替え後の駐車スペース６０５ｂに移動する。これにより、駐車マップの切り換え前後に駐車位置が変化する駐車スペース６０５ａに車両２を停車していた場合でも、車両２を切り替え後の駐車スペース６０５ｂに自動運転により移動させることができる。
【０１８２】
以上説明した通り、第３の実施の形態では、
（１０）車載装置２００Ｂは、車両２の運動を制御する制御部１００３（運動制御部）を有し、制御部１００３は、駐車場管理部１３３により共有駐車マップ情報１３４（駐車マップ６０８）が切り替えられた場合、切替前の駐車マップ６０８Ａ（駐車マップ情報）に基づく第１駐車スペース６０５ａに駐車している車両２を、切替後の駐車マップ６０８Ｂ（駐車マップ情報）に基づく第２駐車スペース６０５ｂに移動させる構成とした。
【０１８３】
このように構成すると、駐車場管理システム１Ｂでは、制御部１００３は、イベントに応じて共有駐車マップ情報１３４（駐車マップ６０８）が切り替わった場合、切り替わる前の第１駐車マップ６０８Ａの第１駐車スペース６０５ａに駐車された車両２を、切り替わった後の第２駐車マップ６０８Ｂの第２駐車スペース６０５ｂに自動運転により移動する。
【０１８４】
よって、駐車マップ６０８の切り替わり前後で、車両２を適切な駐車スペース６０５ｂに自動的に移動することができ、切り替わり後の駐車スペース６０５でない不適切な位置に駐車されることを防止できる。
【０１８５】
［第４の実施の形態］
次に、第４の実施の形態にかかる駐車場管理システム１を説明する。
【０１８６】
図１５は、第４の実施の形態にかかる車載装置２００の車両２の入庫時における処理の流れを説明するフローチャートである。
図１６は、第４の実施の形態にかかる駐車管理装置１００の車両２の入庫時における処理の流れを説明するフローチャートである。
【０１８７】
第４の実施の形態にかかる駐車場管理システム１は、車両２に設けられた外界認識センサの検出精度（距離分解能）に応じて、車両２を誘導する駐車スペース６０５を決定する点が前述した実施の形態と異なる。なお、前述した実施の形態と同一の構成については、同一の符号を付し、必要に応じて説明する。
【０１８８】
［入庫時における車載装置の処理］
次に、車載装置２００の車両２の入庫時における処理の流れを説明する。
【０１８９】
ステップＳ６０１〜ステップＳ６０４は、第１の実施の形態のステップＳ２０１〜ステップＳ２０４と同様の処理であり、ステップＳ６０６〜ステップＳ６０８は、第１の実施の形態のステップＳ２０６〜ステップＳ２０８と同様の処理である（図３参照）。
【０１９０】
ステップＳ６０５において、車載装置２００の駐車スペース要求部２０４は、入庫する駐車スペース６０５を駐車管理装置１００の駐車スペース指示部１３７に要求する際に、当該入庫する車両２に設けられた外界認識センサ（図示せず）に関する情報を駐車管理装置１００に送信する。
【０１９１】
ここで、外界認識センサ（図示せず）は、車両２に設けられたレーダやライダ（Ｌｉｇｈｔ  Ｄｅｔｅｃｔｉｏｎ  ａｎｄ  Ｒａｎｇｉｎｇ：ＬｉＤＡＲ）、ＧＰＳ（Ｇｌｏｂａｌ  Ｐｏｓｉｔｉｏｎｉｎｇ  Ｓｙｓｔｅｍ）などであり、車両２の自動運転の位置制御に必要なセンサである。また、外界認識センサに関する情報とは、外界認識センサの検出精度や距離分解能を示す情報である。
【０１９２】
これにより、駐車管理装置１００では、車載装置２００から受信した外界認識センサに関する情報に基づいて、車両２の自動運転の精度に応じた駐車スペース６０５を決定し、車載装置２００に通知する。
【０１９３】
この結果、例えば、車両２の外界認識センサの距離分解能が低い場合、駐車管理装置１００が、当該車両２の車両サイズに適合した駐車スペースとして通常選択する駐車スペースよりも、大きな駐車区画の駐車スペースを割り当てることができる。よって、車両２を自動運転して駐車スペース６０５に誘導する場合、車両２の駐車スペース６０５への駐車を適切に行うことができる。
【０１９４】
［入庫時における駐車管理装置の処理］
次に、駐車管理装置１００の車両２の入庫時における処理の流れを説明する。
【０１９５】
ステップＳ７０１〜ステップＳ７０４は、第１の実施の形態のステップＳ１０１〜ステップＳ１０４と同様の処理であり、ステップＳ７０７〜ステップＳ７１２は、第１の実施の形態のステップＳ１０７〜ステップＳ１１２と同様の処理である（図２参照）。
【０１９６】
ステップＳ７０５において、駐車スペース指示部１３７は、進入検知した車両２から駐車スペース６０５の要求と外界認識センサ（図示せず）の情報を受信する。
【０１９７】
ステップＳ７０６において、駐車場管理部１３３は、駐車場管理情報１３５から適切な駐車スペース６０５を算出する際に、進入した車両２の車両サイズに対して、外界認識センサ（図示せず）の種類や数、距離分解能に見合ったサイズの駐車スペース６０５を選択し、該当駐車スペース６０５を「空き６１３」から「利用予約６１０」状態に更新する。
【０１９８】
以上説明した通り、第４の実施の形態では、
（１１）駐車場管理部１３３は、車両２に設けられている外界認識センサ（車載センサ）に関する情報を取得すると共に、取得した外界認識センサに関する情報に基づいて共有駐車マップ情報１３４を切り替える構成とした。
【０１９９】
このように構成すると、駐車場管理システム１では、進入した車両２のセンシング能力にあった駐車スペース６０５を車載装置２００に提供することができ、センシング能力が低い場合に周囲に接触するリスクを防ぐことができる。
【０２００】
以上、本発明の実施の形態の一例を説明したが、本発明は、前述した実施の形態を全て組み合わせてもよく、何れか２つ以上の実施の形態を任意に組み合わせても好適である。
【０２０１】
また、本発明は、前述した実施の形態の全ての構成を備えているものに限定されるものではなく、前述した実施の形態の構成の一部を、他の実施の形態の構成に置き換えてもよく、また、前述した実施の形態の構成を、他の実施の形態の構成に置き換えてもよい。
【０２０２】
また、前述した実施の形態の一部の構成について、他の実施の形態の構成に追加、削除、置換をしてもよい。
【符号の説明】
【０２０３】
１：駐車管理システム、２：車両、１００：駐車管理装置、１１０：駐車マップ作成ユニット、１１１：駐車マップ作成部、１１２：駐車マップ情報、１１３：駐車マップ切替部、１２０：駐車エリア認識ユニット、１２１：駐車エリア検知部、１２２：仮想マップ同定部、１２３：センサ部、１２４：位置情報付与部、１２５：駐車エリア車両検知部、１２６：駐車スペース車両検知部、１３０：駐車管理ユニット、１３１：駐車マップ情報登録部、１３２：駐車マップデータベース、１３３：駐車場管理部、１３４：共有駐車マップ情報、１３５：駐車場管理情報、１３６：駐車マップ情報配信部、１３７：駐車スペース指示部、２００：車載装置、２０１：センサ部、２０２：駐車マップ、２０３：駐車マップ情報要求部、２０４：駐車スペース要求部、２０５：表示部、２０６：記憶部、６００：駐車場、６０１：駐車エリア、６０２：マーカ、６０３：表示板、６０４：ゲート、６０５：駐車スペース、６０６：通行方向、６０７：駐車区画レイアウト、６０８：駐車マップ、６０９：監視カメラ
【図１】
2019138763.tif 000003
【図２】
2019138763.tif 000004
【図３】
2019138763.tif 000005
【図４】
2019138763.tif 000006
【図５】
2019138763.tif 000007
【図６】
2019138763.tif 000008
【図７】
2019138763.tif 000009
【図８】
2019138763.tif 000010
【図９】
2019138763.tif 000011
【図１０】
2019138763.tif 000012
【図１１】
2019138763.tif 000013
【図１２】
2019138763.tif 000014
【図１３】
2019138763.tif 000015
【図１４】
2019138763.tif 000016
【図１５】
2019138763.tif 000017
【図１６】
2019138763.tif 000018
【国際調査報告】
2019138763.tif 000019
2019138763.tif 000020
2019138763.tif 000021
2019138763.tif 000022